(57)【要約】  光ディスクにデータを記録するときの最適ライトストラテジ検出装置及び方法、データ記録装置及び方法に係り、該ライトストラテジ検出方法において、複数のライトストラテジに基づいて、マーク及びスペースのサイズ別にテストデータを記録する段階と、記録されたテストデータを再生する段階と、複数のライトストラテジによって、再生されたテストデータのジッタ値を測定する段階と、測定されたジッタ値によって最適のライトストラテジを検出する段階とを含む。
2010522946.tif 000002
【特許請求の範囲】
【請求項１】
最適のライトストラテジ検出方法において、
複数の異なるライトストラテジでテストデータを記録する段階と、
前記記録されたテストデータを再生する段階と、
前記複数の異なるライトストラテジそれぞれについて、前記再生されたテストデータのジッタ値を測定する段階と、
前記測定されたジッタ値によって、最適のライトストラテジを検出する段階とを含むことを特徴とするライトストラテジ検出方法。
【請求項２】
前記テストデータを記録する段階は、
前記複数の異なるライトストラテジに基づいて、異なるサイズを有する複数のマークとスペースとで、前記テストデータを記録する段階を含むことを特徴とする請求項１に記載のライトストラテジ検出方法。
【請求項３】
前記測定されたジッタ値によって最適のライトストラテジを検出する段階は、
前記測定されたジッタ値を利用し、前記マーク及び前記スペースサイズ別にジッタマトリックスを構成する段階と、
前記ジッタマトリックスから、前記測定されたジッタの絶対値が最小になるライトストラテジを、前記最適ライトストラテジに決定する段階とを含むことを特徴とする請求項２に記載のライトストラテジ検出方法。
【請求項４】
前記複数の異なるライトストラテジでテストデータを記録する段階は、第１レーザ集束時間長及び第２レーザ集束時間長で、前記テストデータを記録する段階を含むことを特徴とする請求項１に記載のライトストラテジ検出方法。
【請求項５】
前記マーク及びスペースのサイズ別にジッタマトリックスを構成する段階は、前記測定されたジッタ値を利用し、前記マークとスペースとのそれぞれのサイズについて、正のマトリックスと負のマトリックスとを構成することを特徴とする請求項３に記載のライトストラテジ検出方法。
【請求項６】
前記最適ライトストラテジを検出する段階は、
前記マークとスペースとの各サイズに係わる前記正のマトリックス及び前記負のマトリックスから、前記ライトストラテジによるジッタ値関数を求める段階と、
前記ライトストラテジによるジッタ値関数から、ジッタ値が０であるライトストラテジを前記最適ライトストラテジに決定する段階とを含むことを特徴とする請求項５に記載のライトストラテジ検出方法。
【請求項７】
前記ライトストラテジによるジッタ値関数から、ジッタ値が０であるライトストラテジを前記最適ライトストラテジに決定する段階は、
前記ライトストラテジによるジッタ値関数を一次近似式に変換する段階と、
前記変換された一次近似式から、ジッタ値が０であるライトストラテジを前記最適ライトストラテジに決定する段階とを含むことを特徴とする請求項６に記載のライトストラテジ検出方法。
【請求項８】
前記マーク及びスペースのサイズ別にジッタマトリックスを構成する段階は、
前記測定されたジッタ値を利用し、マーク及びスペースの各サイズ別ジッタ発生頻度についての情報を含むマーク及びスペースの各サイズに係わる正のマトリックスと負のマトリックスとを構成することを特徴とする請求項３に記載のライトストラテジ検出方法。
【請求項９】
前記最適のライトストラテジを検出する段階は、
前記マークと前記スペースとの各サイズに係わる前記正のマトリックス及び前記負のマトリックスから、前記ライトストラテジによるジッタ発生頻度関数を求める段階と、
前記ライトストラテジによるジッタ発生頻度関数から、ジッタ発生頻度が０であるライトストラテジを前記最適のライトストラテジに決定する段階とを含むことを特徴とする請求項８に記載のライトストラテジ検出方法。
【請求項１０】
前記ライトストラテジによるジッタ発生頻度関数から、ジッタ発生頻度が０であるライトストラテジを前記最適のライトストラテジに決定する段階は、
前記ライトストラテジによるジッタ発生頻度関数を一次近似式に変換する段階と、
前記変換された一次近似式から、ジッタ発生頻度が０であるライトストラテジを前記最適のライトストラテジに決定する段階とを含むことを特徴とする請求項９に記載のライトストラテジ検出方法。
【請求項１１】
前記複数の異なるライトストラテジでテストデータを記録する段階は、
第１サイズのレーザパワーで前記テストデータを記録し、第２サイズのレーザパワーで前記テストデータを記録する段階を含むことを特徴とする請求項１に記載のライトストラテジ検出方法。
【請求項１２】
前記テストデータを記録する段階は、
テスト領域の第１セクタに第１ライトストラテジで前記テストデータを記録する段階と、
前記テスト領域の第２セクタに第２ライトストラテジで前記テストデータを記録する段階を含むことを特徴とする請求項１に記載のライトストラテジ検出方法。
【請求項１３】
ライトストラテジ検出装置において、
複数の異なるライトストラテジでテストデータを記録し、前記記録されたテストデータを再生する記録／読取り部と、
前記複数の異なるライトストラテジそれぞれについて、前記再生されたテストデータのジッタ値を測定し、前記測定されたジッタ値によって光ディスクの最適ライトストラテジを検出する制御部とを含むことを特徴とするライトストラテジ検出装置。
【請求項１４】
前記記録／読取り部は、前記複数の異なるライトストラテジに基づいて、他のサイズを有する複数のマークとスペースとで、前記テストデータを記録することを特徴とする請求項１３に記載のライトストラテジ検出装置。
【請求項１５】
前記制御部は、
複数の異なるライトストラテジそれぞれについて、前記再生されたテストデータのジッタ値を測定する測定部と、
前記測定されたジッタ値を利用し、マーク及びスペースのサイズ別にジッタマトリックスを構成するマトリックス構成部と、
前記ジッタマトリックスから、前記測定されたジッタの絶対値が最小になるライトストラテジを、前記最適ライトストラテジに決定する検出部とを含むことを特徴とする請求項１４に記載のライトストラテジ検出装置。
【請求項１６】
前記記録／読取り部は、第１レーザ集束時間で前記テストデータを記録し、第２レーザ集束時間で前記テストデータを記録することを特徴とする請求項１３に記載のライトストラテジ検出装置。
【請求項１７】
前記マトリックス構成部は、前記測定されたジッタ値を利用し、前記マークと前記スペースとの各サイズについて、正のマトリックスと負のマトリックスとを構成することを特徴とする請求項１５に記載のライトストラテジ検出装置。
【請求項１８】
前記検出部は、
前記マークと前記スペースとの各サイズに係わる前記正のマトリックス及び前記負のマトリックスから、前記ライトストラテジによるジッタ値関数を求め、前記ジッタ値関数から、ジッタ値が０であるライトストラテジを前記最適ライトストラテジとして検出することを特徴とする請求項１７に記載のライトストラテジ検出装置。
【請求項１９】
前記検出部は、
前記ライトストラテジによるジッタ値関数を一次近似式に変換する変換部をさらに含み、
前記検出部は、前記変換された一次近似式から、ジッタ値が０であるライトストラテジを前記最適ライトストラテジとして検出することを特徴とする請求項１８に記載のライトストラテジ検出装置。
【請求項２０】
前記マトリックス構成部は、
前記測定されたジッタ値を利用し、マーク及びスペースのサイズ別ジッタ発生頻度についての情報を含む前記マークと前記スペースとの各サイズに係わる、正のマトリックスと負のマトリックスとを構成することを特徴とする請求項１５に記載のライトストラテジ検出装置。
【請求項２１】
前記検出部は、
前記マークと前記スペースとの各サイズに係わる前記正のマトリックス及び前記負のマトリックスから、前記ライトストラテジによるジッタ発生頻度関数を求め、前記ジッタ発生頻度関数から、ジッタ発生頻度が０であるライトストラテジを前記最適ライトストラテジとして検出することを特徴とする請求項２０に記載のライトストラテジ検出装置。
【請求項２２】
前記検出部は、
前記ライトストラテジによるジッタ発生頻度関数を一次近似式に変換する変換部をさらに含み、
前記検出部は、前記変換された一次近似式から、ジッタ発生頻度が０であるライトストラテジを前記最適ライトストラテジとして検出することを特徴とする請求項２１に記載のライトストラテジ検出装置。
【請求項２３】
前記記録／読取り部は、第１サイズのレーザパワーで前記テストデータを記録し、第２サイズのレーザパワーで前記テストデータを記録することを特徴とする請求項１３に記載のライトストラテジ検出装置。
【請求項２４】
前記記録／読取り部は、テスト領域の第１セクタに第１ライトストラテジで前記テストデータを記録し、前記テスト領域の第２セクタに第２ライトストラテジで前記テストデータを記録することを特徴とする請求項１３に記載のライトストラテジ検出装置。
【請求項２５】
光ディスクにデータを記録するデータ記録方法において、
複数のライトストラテジでテストデータを記録する段階と、
前記記録されたテストデータを再生する段階と、
前記複数のそれぞれ異なるライトストラテジについて、前記再生されたテストデータのジッタ値を測定する段階と、
前記測定されたジッタ値によって最適のライトストラテジを検出する段階と、
前記検出された最適のライトストラテジに基づいて、前記光ディスクにデータを記録する段階とを含むことを特徴とするデータ記録方法。
【請求項２６】
前記テストデータを記録する段階は、
前記複数の異なるライトストラテジに基づいて、異なるサイズを有する複数のマークとスペースとで、前記テストデータを記録する段階を含むことを特徴とする請求項２５に記載のデータ記録方法。
【請求項２７】
前記測定されたジッタ値によって最適のライトストラテジを検出する段階は、
前記測定されたジッタ値を利用し、マーク及びスペースのサイズ別にジッタマトリックスを構成する段階と、
前記ジッタマトリックスから、前記測定されたジッタの絶対値が最小になるライトストラテジを前記最適のライトストラテジとして検出する段階とを含むことを特徴とする請求項２６に記載のデータ記録方法。
【請求項２８】
前記マークと前記スペースとの各サイズについてジッタマトリックスを構成する段階は、
前記測定されたジッタ値を利用し、前記マークと前記スペースとの各サイズに係わる正のマトリックス及び負のマトリックスを構成する段階を含むことを特徴とする請求項２７に記載のデータ記録方法。
【請求項２９】
光ディスクにデータを記録するデータ記録装置において、
複数の異なるライトストラテジでテストデータを記録し、前記記録されたテストデータを再生する記録／読取り部と、
前記複数のライトストラテジそれぞれについて、前記再生されたテストデータのジッタ値を測定し、前記測定されたジッタ値によって、光ディスクの最適のライトストラテジを検出する制御部と、
前記検出された最適のライトストラテジで、前記光ディスクにデータを記録する記録部とを含むことを特徴とするデータ記録装置。
【請求項３０】
前記記録／読取り部は、前記複数の異なるライトストラテジに基づいて、異なるサイズを有する複数のマークとスペースとで、前記テストデータを記録することを特徴とする請求項２９に記載のデータ記録装置。
【請求項３１】
前記制御部は、
複数の異なるライトストラテジそれぞれに対して、前記再生されたテストデータのジッタ値を測定する測定部と、
前記測定されたジッタ値を利用し、マーク及びスペースのサイズ別にジッタマトリックスを構成するマトリックス構成部と、
前記ジッタマトリックスから、前記測定されたジッタの絶対値が最小になるライトストラテジを、前記最適のライトストラテジに決定する検出部とを含むことを特徴とする請求項３０に記載のデータ記録装置。
【請求項３２】
前記マトリックス構成部は、前記測定されたジッタ値を利用し、前記マークと前記スペースとの各サイズに係わる正のマトリックスと負のマトリックスとを構成し、
前記検出部は前記マークと前記スペースとの各サイズに係わる前記正のマトリックス及び前記負のマトリックスから、前記ライトストラテジによるジッタ値関数を求め、前記ジッタ値関数から、ジッタ値が０であるライトストラテジを前記最適のライトストラテジに決定することを特徴とする請求項３１に記載のデータ記録装置。
【請求項３３】
請求項１に記載の方法で符号化されてコンピュータによって遂行されるコンピュータで読取り可能な記録媒体。
【請求項３４】
請求項２６に記載の方法で符号化されてコンピュータによって遂行されるコンピュータで読取り可能な記録媒体。
【発明の詳細な説明】
【技術分野】
【０００１】
本発明は、光ディスクにデータを記録するときの最適ライトストラテジ検出装置及び方法、データ記録装置及び方法に関する。
【背景技術】
【０００２】
既存のＣＤ−ＲＯＭタイトルが有している保存容量がだんだんと限界点に達するにつれて、ＤＶＤ（digital  versatile  disc）が新しい記録媒体として脚光を浴びている。前記ＤＶＤは、ＣＤと具現原理においては大きく異なるところがない。すなわち、レーザを利用して反射される光量の差を０と１とのデータを認識するＣＤと全く同じ原理で、データを認知する。ただし、差があるならば、ＣＤに比べて、データの保存幅が微細であるということである。
【０００３】
前記ＣＤとＤＶＤは、その機能及び用途によって、読み取り専用のＲＯＭ（read-only memory）型、追記可能であるライトワンス（WORM（write  once  read  many））型、及び反復的に記録できる書換え可能型の三種に大別される。
【０００４】
かようなＣＤ系の光ディスクとＤＶＤ系の光ディスクとを記録再生する光記録再生装置は、情報記録層の物質的特性を変化させることができる比較的大きいエネルギーの光ビームを照射し、光ディスクに情報を記録すると共に、情報記録層の物質的特性を変化させない小さいエネルギーの光ビームを使用して光ディスクから情報を再生する。すなわち、記録時には通常、レーザダイオード（ＬＤ）を比較的高い記録パワーで駆動させて光ディスク上にピット（pit）を形成することによって情報を記録する。ここで、ディスクに整形された長さほどピットを形成することをライトストラテジ（write  strategy）という。
【０００５】
レーザビームは、ピットがある反射面の反対側に入射され、レーザ入射側面から見れば、ピットは突起として見られる。ピットは、幅が０．４〜０．６μｍであり、１個のピット長さ及びピット間隔は、光ディスクの種類によって異なる。ＣＤの場合には、３Ｔ〜１１Ｔ、ＤＶＤの場合には３Ｔ〜１４Ｔに区分されれば、ＢＤ（blu-ray  disc）の場合には、２Ｔ〜９Ｔの８種の場合のＴに区分になる。Ｔというのは、クロックパルス１個分の長さであるが、例えば、２Ｔというのは、２個のクロックパルス、９Ｔは、クロックパルス９つ分の長さに該当する。
【０００６】
ライトストラテジは、レーザの集束時間及びレーザパワーのサイズをいうが、これによって、データが記録された光ディスクの再生品質に差が生じることとなる。光ディスクまたは記録／再生装置が異なっているにしても、同じ値のライトストラテジを適用すれば、信号品質が低下しうるという問題点があった。また、良好な再生品質を得るために、適切なライトストラテジ値をどれほどにするかということが問題になる。
【発明の概要】
【発明が解決しようとする課題】
【０００７】
前述の問題点を解決するための本発明の目的は、ディスクまたは記録／再生装置による最適ライトストラテジを検出し、この検出されたライトストラテジを利用してデータを記録するところにある。
【課題を解決するための手段】
【０００８】
前記技術的課題は、本発明によるライトストラテジ検出方法において、複数のライトストラテジに基づいて、マーク及びスペースのサイズ別にテストデータを記録する段階と、前記記録されたテストデータを再生する段階と、前記複数のライトストラテジによって、前記再生されたテストデータのジッタ値を測定する段階と、前記測定されたジッタ値を利用して最適のライトストラテジを検出する段階とを含むことを特徴とするライトストラテジ検出方法によって達成される。
【０００９】
前記測定されたジッタ値を利用して最適のライトストラテジを検出する段階は、前記測定されたジッタ値を利用し、マーク及びスペースのサイズ別にジッタマトリックスを構成する段階と、前記ジッタマトリックスから、前記測定されたジッタの絶対値が最小になるライトストラテジを検出する段階とを含むことが望ましい。
【００１０】
前記複数のライトストラテジは、それぞれ異なる長さのレーザ集束時間を有することが望ましい。
【００１１】
前記測定されたジッタ値を利用し、マーク及びスペースのサイズ別にジッタマトリックスを構成する段階は、前記測定されたジッタ値を利用し、正のマトリックスと負のマトリックスとを別途に構成することが望ましい。
【００１２】
前記ジッタマトリックスから、前記測定されたジッタの絶対値が最小になるライトストラテジを検出する段階は、前記正のジッタマトリックス及び前記負のジッタマトリックスから、前記ライトストラテジによるジッタ値関数を求める段階と、前記ライトストラテジによるジッタ値関数から、ジッタ値が０であるライトストラテジを検出する段階とを含むことが望ましい。
【００１３】
前記ライトストラテジによるジッタ値関数から、ジッタ値が０であるライトストラテジを検出する段階は、前記ライトストラテジによるジッタ値関数を一次近似式に変換する段階と、前記変換された一次近似式から、ジッタ値が０であるライトストラテジを検出する段階とを含むことが望ましい。
【００１４】
前記測定されたジッタ値を利用し、マーク及びスペースのサイズ別にジッタマトリックスを構成する段階は、前記測定されたジッタ値を利用し、正のマトリックスと負のマトリックスとを別途に構成するが、前記構成されたジッタマトリックスには、マーク及びスペースのサイズ別ジッタ発生頻度についての情報が含まれることが望ましい。
【００１５】
前記ジッタマトリックスから、前記測定されたジッタの絶対値が最小になるライトストラテジを検出する段階は、前記正のジッタマトリックス及び前記負のジッタマトリックスから、前記ライトストラテジによるジッタ発生頻度関数を求める段階と、前記ライトストラテジによるジッタ発生頻度関数から、ジッタ発生頻度が０であるライトストラテジを検出する段階とを含むことが望ましい。
【００１６】
前記ライトストラテジによるジッタ発生頻度関数から、ジッタ発生頻度が０であるライトストラテジを検出する段階は、前記ライトストラテジによるジッタ発生頻度関数を一次近似式に変換する段階と、前記変換された一次近似式から、ジッタ発生頻度が０であるライトストラテジを検出する段階とを含むことが望ましい。
【００１７】
一方、前記技術的課題は、本発明の他の特徴によるライトストラテジ検出装置において、複数のライトストラテジに基づいて、マーク及びスペースのサイズ別にテストデータを記録し、前記記録されたテストデータを再生する記録／読取り部と、前記再生されたテストデータのジッタ値を測定し、前記測定されたジッタ値に基づいて、光ディスクのライトストラテジを検出する制御部とを含むライトストラテジ検出装置によって達成される。
【００１８】
前記制御部は、複数のライトストラテジによって、前記再生されたテストデータのジッタ値を測定する測定部と、前記測定されたジッタ値を利用し、マーク及びスペースのサイズ別にジッタマトリックスを構成するマトリックス構成部と、前記ジッタマトリックスから、前記測定されたジッタの絶対値が最小になるライトストラテジを検出する検出部とを含むことが望ましい。
【００１９】
前記複数のライトストラテジは、それぞれ異なる長さのレーザ集束時間を有することが望ましい。
【００２０】
前記マトリックス構成部は、前記測定されたジッタ値を利用し、正のマトリックスと負のマトリックスとを別途に構成することが望ましい。
【００２１】
前記検出部は、前記正のジッタマトリックス及び前記負のジッタマトリックスから、前記ライトストラテジによるジッタ値関数を求め、前記ジッタ値関数から、ジッタ値が０であるライトストラテジを検出することが望ましい。
【００２２】
前記検出部は、前記ライトストラテジによるジッタ値関数を一次近似式に変換する変換部をさらに含み、前記変換された一次近似式から、ジッタ値が０であるライトストラテジを検出することが望ましい。
【００２３】
前記マトリックス構成部は、前記測定されたジッタ値を利用し、正のマトリックスと負のマトリックスとを別途に構成するが、前記構成されたジッタマトリックスには、マーク及びスペースのサイズ別ジッタ発生頻度についての情報が含まれることが望ましい。
【００２４】
前記検出部は、前記正のジッタマトリックス及び前記負のジッタマトリックスから、前記ライトストラテジによるジッタ発生頻度関数を求め、前記ジッタ発生頻度関数から、ジッタ発生頻度が０であるライトストラテジを検出することが望ましい。
【００２５】
前記検出部は、前記ライトストラテジによるジッタ発生頻度関数を一次近似式に変換する変換部をさらに含み、前記変換された一次近似式から、ジッタ発生頻度が０であるライトストラテジを検出することが望ましい。
【００２６】
前記技術的課題は、光ディスクにデータを記録するデータ記録方法において、複数のライトストラテジに基づいて、マーク及びスペースのサイズ別にテストデータを記録する段階と、前記記録されたテストデータを再生する段階と、前記複数のライトストラテジによって、前記再生されたテストデータのジッタ値を測定する段階と、前記測定されたジッタ値を利用し、マーク及びスペースのサイズ別にジッタマトリックスを構成する段階と、前記ジッタマトリックスから、前記測定されたジッタの絶対値が最小になるライトストラテジを検出する段階と、前記検出されたライトストラテジに基づいて、前記光ディスクにデータを記録する段階とを含むことを特徴とするデータ記録方法によっても達成される。
【００２７】
前記複数のライトストラテジは、それぞれ異なる長さのレーザ集束時間を有することが望ましい。
【００２８】
前記測定されたジッタ値を利用し、マーク及びスペースのサイズ別にジッタマトリックスを構成する段階は、前記測定されたジッタ値を利用し、正のマトリックスと負のマトリックスとを別途に構成して、前記ジッタマトリックスから、前記測定されたジッタの絶対値が最小になるライトストラテジを検出する段階は、前記正のジッタマトリックス及び前記負のジッタマトリックスから、前記ライトストラテジによるジッタ値関数を求める段階と、前記ライトストラテジによるジッタ値関数から、ジッタ値が０であるライトストラテジを検出する段階とを含むことが望ましい。
【００２９】
前記技術的課題は、光ディスクにデータを記録するデータ記録装置において、複数のライトストラテジに基づいて、マーク及びスペースのサイズ別にテストデータを記録し、前記記録されたテストデータを再生する記録／読取り部と、前記再生されたテストデータのジッタ値を測定し、前記測定されたジッタ値に基づいて、光ディスクのライトストラテジを検出する制御部と、前記検出されたライトストラテジに基づいて、前記光ディスクにデータを記録する記録部とを含むデータ記録装置によって達成される。
【００３０】
前記制御部は、複数のライトストラテジによって、前記再生されたテストデータのジッタ値を測定する測定部と、前記測定されたジッタ値を利用し、マーク及びスペースのサイズ別にジッタマトリックスを構成するマトリックス構成部と、前記ジッタマトリックスから、前記測定されたジッタの絶対値が最小になるライトストラテジを検出する検出部とを含むことが望ましい。
【００３１】
前記複数のライトストラテジは、それぞれ異なる長さのレーザ集束時間を有することが望ましい。
【００３２】
前記マトリックス構成部は、前記測定されたジッタ値を利用し、正のマトリックスと負のマトリックスとを別途に構成し、前記検出部は、前記正のジッタマトリックス及び前記負のジッタマトリックスから、前記ライトストラテジによるジッタ値関数を求め、前記ジッタ値関数から、ジッタ値が０であるライトストラテジを検出することが望ましい。
【００３３】
前記技術的課題は、ライトストラテジ検出方法を実行させるためのプログラムを記録したコンピュータで読取り可能な記録媒体において、前記方法は、複数のライトストラテジに基づいて、マーク及びスペースのサイズ別にテストデータを記録する段階と、前記記録されたテストデータを再生する段階と、前記複数のライトストラテジによって、前記再生されたテストデータのジッタ値を測定する段階と、前記測定されたジッタ値を利用し、マーク及びスペースのサイズ別にジッタマトリックスを構成する段階と、前記ジッタマトリックスから、前記測定されたジッタの絶対値が最小になるライトストラテジを検出する段階とを含むことを特徴とする記録媒体によって達成される。
【００３４】
前記技術的課題は、光ディスクにデータを記録するデータ記録方法を実行させるためのプログラムを記録したコンピュータで読取り可能な記録媒体において、前記方法は、複数のライトストラテジに基づいて、マーク及びスペースのサイズ別にテストデータを記録する段階と、前記記録されたテストデータを再生する段階と、前記複数のライトストラテジによって、前記再生されたテストデータのジッタ値を測定する段階と、前記測定されたジッタ値を利用して最適のライトストラテジを検出する段階と、前記検出されたライトストラテジに基づいて、前記光ディスクにデータを記録する段階とを含むことを特徴とする記録媒体によって達成される。
【発明の効果】
【００３５】
本発明によれば、ディスクまたは記録／再生装置による最適ライトストラテジを検出し、データの記録／再生品質を向上させることができる。
【図面の簡単な説明】
【００３６】
【図１】本発明の一実施形態によるライトストラテジ検出装置を表したブロック図である。
【図２Ａ】ＲＦ信号とジッタとの関係を示したグラフである。
【図２Ｂ】ＲＦ信号とジッタとの関係を示したグラフである。
【図２Ｃ】ＲＦ信号とジッタとの関係を示したグラフである。
【図３Ａ】ＲＦ信号クロックの同期とジッタとの関係を示したグラフである。
【図３Ｂ】ＲＦ信号クロックの同期とジッタとの関係を示したグラフである。
【図４】ジッタ値を計算するための方法を説明するための参考図である。
【図５】図１に図示された検出部の具体的構成を示したブロック図である。
【図６】測定されたジッタ値を利用して構成したジッタマトリックスの例を図示した表である。
【図７】ライトストラテジの構成の例を図示した参考図である。
【図８】レーザ集束時間によるジッタ値及びジッタ発生頻度をグラフで示した参考図である。
【図９】正のジッタ発生頻度と負のジッタ発生頻度との差をグラフで示した参考図である。
【図１０】正のジッタ発生頻度と負のジッタ発生頻度との差を一次近似式に変換する例を図示した図である。
【図１１Ａ】ライトストラテジ検出を介して変化したジッタ発生頻度を示した参考図である。
【図１１Ｂ】ライトストラテジ検出を介して変化したジッタ発生頻度を示した参考図である。
【図１２】テスト領域にライトストラテジを変化させて記録することによって、最適ライトストラテジを検出する過程の例を図示した図である。
【図１３】本発明の一実施形態によるライトストラテジ検出方法を図示したフローチャートである。
【図１４】本発明の一実施形態によるデータ記録方法を図示したフローチャートである。
【発明を実施するための形態】
【００３７】
以下、添付された図面を参照しつつ、本発明の望ましい実施形態について説明する。
【００３８】
図１は、本発明の一実施形態によるライトストラテジ（write  strategy）検出装置を示したブロック図である。図１を参照するに、本発明の一実施形態によるライトストラテジ検出装置は、記録／読取り部１１０及び制御部１２０を含み、制御部１２０は、測定部１２２、マトリックス構成部１２４及び検出部１２６を含む。
【００３９】
記録／読取り部１１０では、複数のライトストラテジに基づいて、光ディスクのテスト領域にテストデータを記録し、記録されたテストデータを再生する。すなわち、テスト領域に、複数の異なるライトストラテジ、例えば、異なるパワーサイズを有するレーザを入射させたり、あるいはレーザ集束時間を異ならせ、テストデータを記録するのである。テストデータは、複数のセクタからなり、それぞれのセクタに、それぞれ異なるライトストラテジを適用してデータを記録するが、テストデータの記録は、マーク及びスペースのサイズ別になされる。１つのセクタに記録されるテストデータの記録パターンを見れば、多様なサイズＴを有したマーク及びスペースが現れる。
【００４０】
制御部１２０では、再生されたテストデータの信号品質に基づいて、光ディスクのライトストラテジを検出するが、制御部１２０は、測定部１２２、マトリックス構成部１２４及び検出部１２６を含む。測定部１２２では、複数のライトストラテジによって、再生されたテストデータのジッタ値を測定する。ジッタ及びジッタ値の測定については、図２ないし図４と関連して後述する。
【００４１】
マトリックス構成部１２４では、測定部１２２で測定されたジッタ値を利用し、マーク及びスペースのサイズ別にジッタマトリックスを構成する。例えば、ＢＤ（blu-ray  disc）の場合には、２Ｔ〜９Ｔのマーク及びスペースのサイズを有するので、それぞれのサイズ別にジッタマトリックスを構成する。マトリックス構成部１２４では、正のジッタマトリックスと負のジッタマトリックスとを別途に構成できる。
【００４２】
検出部１２６では、ジッタマトリックスから測定されたジッタの絶対値が最小になるライトストラテジを検出する。ジッタが最小ということは、信号品質が最良であるという意味であり、ジッタが最小であるときのライトストラテジでもってデータを記録し、優秀な信号品質を保証されるのである。
【００４３】
図２Ａないし図２Ｃは、オフセット（offset）が除去されたＲＦ信号とシステムクロックとの間にジッタが発生した例であり、システムクロックの立ち下がりエッジを基準としたものである。理想的な場合に、システムクロックのエッジ（edge）部分とＲＦ信号のゼロ点交差点とが図２Ｂのように正確に一致する。しかし、実際にシステムクロックのエッジ部分とＲＦ信号のゼロ点交差点とが正確に一致せず、時間的に若干の差が発生する。クロックのエッジ部分がＲＦ信号のゼロ点交差点より先んじる場合には、図２Ａのような差が発生し、クロックのエッジ部分がＲＦ信号のゼロ点交差点より遅れる場合には、図２Ｃのような差が発生する。このときの差をジッタという。
【００４４】
一般的に、ＲＦ信号とシステムクロックとの差であるジッタ値を、ＲＦ信号の品質を評価するのに使用している。すなわち、理想的な場合に、システムクロックのエッジにＲＦ信号のゼロ点交差点が正確に位置するので、ジッタ値が最小となる。本発明の一実施形態によれば、ＲＦ信号のゼロ点交差点がシステムクロックのエッジに位置する場合、ジッタ値測定されない。しかし、本発明がそれに限定されるものではなく、また、他の実施形態によれば、ジッタ値が０である場合にも、ジッタ値は測定されうる。しかし、ＲＦ信号にノイズや異常状況が発生する場合に、システムクロックのエッジにＲＦ信号のゼロ点交差点が正確に位置できないので、ジッタ値が測定される。図３Ａは、ジッタがない場合の信号であり、図３Ｂは、同期が合わずにジッタが発生した場合の信号を示したものである。
【００４５】
図４は、ジッタ値を計算するための方法を説明するための参考図である。アナログ信号をサンプリングする場合に得ることができる値は、サンプル値であるａとｂとであり、システムクロックは一定であるので、ａ’＋ｂ’の値は、システムクロックと一定になる。図４のｂ’値がシステムクロックと入力信号との時間差であるから、ジッタ値になる。ゼロ点交差が起こる部分で信号が線形的であると仮定すれば、次のような式が成立する。
【００４６】
ａ：ａ’＝ｂ：ｂ’
ａ’＋ｂ’＝システムクロック
ここでａ，ｂ及びシステムクロック値は既知の値であるから、前記２式を整理すれば、次のような式が得られる。
【００４７】
ｂ’＝ｂ＊システムクロック／（ａ＋ｂ）
図５は、図１に図示された検出部の具体的構成を示したブロック図である。
【００４８】
本発明の一実施形態による検出部１２６は、変換部５１０及びライトストラテジ検出部５２０を含む。マトリックス構成部１２４では、正のジッタマトリックスと負のジッタマトリックスとを別途に構成するが、変換部５１０では、構成されたジッタマトリックスを利用し、ライトストラテジによるジッタ値関数またはジッタ発生頻度関数を求めた後、求めた関数を一次近似式に変換する。一次近似式の変換は、ジッタ値関数グラフで、同じマーク及びスペースのサイズを有する負のジッタ値と正のジッタ値とを直線で連結することによってなされ、図１０と関連して後述する。一次近似式に変換する理由は、一次式に変換した後で、ジッタ値が０になる部分を見つけやすいためである。
【００４９】
ライトストラテジ検出部５２０では、変換部５１０で変換された一次近似式から、最適ライトストラテジを検出する。一次近似式がジッタ値関数式である場合には、ジッタ値関数が０になるライトストラテジを検出し、一次近似式がジッタ発生頻度関数式である場合には、ジッタ発生頻度関数が０になるライトストラテジを検出する。
【００５０】
図６は、測定されたジッタ値を利用して構成したジッタマトリックスの例を図示した表である。ジッタマトリックスは、正のジッタマトリックスと負のジッタマトリックスとに分けられる。ジッタマトリックスには、マーク及びスペースのサイズによるジッタ値またはジッタ発生頻度が記録される。例えば、マークの長さが２Ｔであり、スペースの長さが２Ｔである場合には、ジッタ値またはジッタ頻度数がジッタマトリックス上に記録されているか否かによって、ａ値のジッタまたはａ回のジッタが発生することが分かる。現在マークを基にしてマトリックスを構成したとき、スペースが現在マーク以前のスペースであるか否か、現在マーク後のスペースであるか否かを区別する必要がある。すなわち、マークの次にスペースがくる場合のジッタであるか否か、スペースの次にマークがくる場合のジッタであるか否かを区別しなければならない。
【００５１】
図７は、ライトストラテジの構成の例を図示した参考図である。図７を参照するに、点で表示された領域がマーク領域であり、残りがスペース領域である。テスト領域にテストデータを記録するとき、線で表示された部分は、マークに集束されるレーザのサイズを示したものであり、Ｐｗはレーザの最大サイズを示し、Ｔｔｏｐ，Ｔｍｐ，Ｔｌｐは、レーザの集束される時間を示す。このときレーザは、４Ｔほど集束され、ｄＴｅほどのジッタが発生することが分かる。ジッタの方向性が（−）方向であるから、レーザのサイズに該当するパワーが大きいか、あるいはレーザ集束時間が長くなる方向に調整されたライトストラテジを利用して、テストデータを記録すれば、ジッタ値を減らすことができる。ジッタ値の方向性は、図２で記述された通り、クロックエッジを基に、信号のゼロ点交差点がどこに位置するかを把握することによって分かる。
【００５２】
図８は、レーザ集束時間によるジッタ値及びジッタ発生頻度をグラフで示した参考図である。
【００５３】
レーザ集束時間が長くなるにつれて、正のジッタ値のサイズは縮小し、ジッタ発生頻度も減少することになる。またレーザ集束時間が長くなることによって、負のジッタ値のサイズは大きくなり、ジッタ発生頻度も増加することになる。図８でのジッタ値は、２Ｔのスペースと２Ｔのマークとでのジッタ値を測定したものであり、２Ｔのスペースと２Ｔのマークとから始め、ジッタ発生頻度を計算した値である。これを介して、各Ｔ別に何回のジッタが発生したかが分かり、Ｔによるジッタマトリックスを構成できる。
【００５４】
マークのＴｔｏｐ、すなわち、レーザ集束時間の変化によって、正または負のジッタ値及びジッタ発生頻度が変わることが分かる、全体ジッタが最小であるとき、すなわち、マークが最適に記録された状態になったとき、符号が異なったジッタ値及びジッタ発生頻度数が交差することが分かる。これは、ジッタが最小であるとき、ＰＬＬと記録された信号のエッジが一致する仮定に符合する結果である。例えば、（−）方向に偏っていた信号のエッジを調整するために、（＋）方向にエッジ行くようにライトストラテジを調整すれば、（＋）方向にエッジが移る直前の区間が存在し、この区間でジッタが最小である。すなわち、図８のグラフで、Ｔｔｏｐが０＊５５近くで全体ジッタが最小になり、このときのレーザ集束時間が最適ライトストラテジになるのである。
【００５５】
図９は、正のジッタ発生頻度と負のジッタ発生頻度との差をグラフで示した参考図である。図９では、正のジッタ値関数から負のジッタ値関数を差し引いたグラフと、正のジッタ発生頻度から負のジッタ発生頻度を差し引いたグラフとが描かれている。このうち、ジッタ値差及びジッタ発生頻度差が０に近い位置でのレーザ集束時間が最適ライトストラテジになる。
【００５６】
図１０は、正のジッタ発生頻度と負のジッタ発生頻度との差を一次近似式に変換する例を図示したものである。
【００５７】
図９で求めたジッタ発生頻度差またはジッタ値差のグラフを図１０で示してあるように一次式に近似化すれば、一次線形関係で、ジッタ発生頻度差またはジッタ値差が０になる（または０に近似した）部分を容易に決定できる。一次式への近似化は、ジッタ値差関数グラフで、同じマーク及びスペースのサイズを有する負のジッタ値と正のジッタ値とを直線に連結することによってなされたり、またはジッタ発生頻度差関数グラフで、同じマーク及びスペースのサイズを有する負のジッタ発生頻度と正のジッタ発生頻度を、直線で連結することによってなされうる。一次線形関係で、ｙ軸が０であるとき、対応するレーザ集束時間（図１０でのｘ軸）が最適ライトストラテジになる。一次近似式で求めた最適ライトストラテジをデータ記録装置のライトストラテジに設定してデータを記録すれば、データの再生品質を向上させることができる。
【００５８】
図１１Ａ及び図１１Ｂは、ライトストラテジ検出を介して変化したジッタ発生頻度を示した参考図である。
【００５９】
図１１Ａは、最適ライトストラテジの検出なしに設定されたライトストラテジを適用してデータを記録したときのＴ別のジッタ発生頻度に係わるヒストグラムである。図１１Ａの３Ｔに係わるジッタについて述べれば、中央に点線で表示された部分がジッタ値が０である部分であり、正のジッタ値の頻度数と負のジッタ値の頻度数とが均衡をなさねばならないことが分かる。このときのジッタ偏差は１５．６％である。
【００６０】
図１１Ｂは、本発明によるライトストラテジ検出装置を介して、最適ライトストラテジを検出した後）、検出されたライトストラテジを利用してデータを記録したときのＴ別のジッタ発生頻度に係わるヒストグラムである。３Ｔに係わるジッタを図１１Ａのジッタと比較し述べれば、０を中心に正のジッタ値の頻度数と負のジッタ値の頻度数とが均衡をなしていることが分かる。また２Ｔ，５Ｔのような他のＴについても、図１１Ａに比べて再生品質が向上していることが分かる。ジッタ偏差も１３．２％とライトストラテジ変更前に比べて改善されている。
【００６１】
図１２は、テスト領域にライトストラテジを変化させて記録することによって、最適ライトストラテジを検出する過程の例を図示したことである。
【００６２】
それぞれ異なるライトストラテジを利用し、テスト領域にテストデータを記録する。図１２の上側に示されたマトリックスは、図６のジッタマトリックスとは異なったものであり、左側のマトリックスは、−１０％のライトストラテジがそれぞれのマーク及びスペースに適用される記録パターンを示し、右側のマトリックスは、＋１０％のライトストラテジがそれぞれのマーク及びスペースに適用される記録パターンを示す。
【００６３】
図１２に示されたテスト領域は、１６個のセクタからなる１つのブロックであり、例えば、Ｎセクタに−１０％ライトストラテジでテストデータを記録し、Ｎ＋１セクタの条件を異ならせた正の＋１０％ライトストラテジでテストデータを記録する。それぞれのセクタについてテストデータを記録しつつ、同時にこれをアレイに保存しておく。
【００６４】
図１２の下方のグラフは、テスト領域に記録されたテストデータを再生させたときのジッタ値を示す。最初のグラフは、負のジッタ値の分布、２番目のグラフは正のジッタ値の分布を示す。正のジッタ値と負のジッタ値とが均衡をなすようにするために、適正なライトストラテジを探す過程が３番目のグラフに示されている。例えば、２Ｔ２Ｓの負のジッタ値と正のジッタ値とを連結し、ｙ軸が０である部分のレーザ集束時間（ｘ軸）が２Ｔ２Ｓの最適ライトストラテジになるのである。
【００６５】
図１３は、本発明の一実施形態によるライトストラテジ検出方法を図示したフローチャートである。
【００６６】
段階１３１０では、複数のライトストラテジに基づいて、光ディスクのテスト領域にテストデータを記録する。例えば、テスト領域に複数の異なるライトストラテジ、例えば、異なるパワーサイズを有するレーザを入射させたり、レーザ集束時間を異にしてテストデータを記録する。段階１３２０では、テスト領域に記録されたテストデータを再生する。
【００６７】
段階１３３０では、複数のライトストラテジによって、再生されたテストデータのジッタ値を測定し、段階１３４０では、測定されたジッタ値を利用し、マーク及びスペースのサイズ別にジッタマトリックスを構成する。このとき、正のジッタマトリックスと負のジッタマトリックスとを別途に構成する。
【００６８】
段階１３５０では、ジッタマトリックスから測定されたジッタの絶対値が最小になるライトストラテジを決定する。まず、構成されたジッタマトリックスを利用し、ライトストラテジによるジッタ値関数またはジッタ発生頻度関数を求めた後、求めた関数を一次近似式に変換する。一次近似式の変換は、ジッタ値関数グラフで、同じマーク及びスペースのサイズを有する負のジッタ値と正のジッタ値とを直線で連結することによってなされる。次に、変換された一次近似式で、最適ライトストラテジを検出する。一次近似式がジッタ値関数式である場合には、ジッタ値関数が０になるライトストラテジを検出し、一次近似式がジッタ発生頻度関数式である場合には、ジッタ発生頻度関数が０になるライトストラテジを検出する。ライトストラテジは、データを記録するためのレーザのパワーのサイズ、またはレーザの集束時間をいう。正の方向に偏ったジッタ値が測定された場合には、パワーのサイズを小さくするか、またはレーザ集束時間を縮めれば、負の方向にジッタ値が移動できる。
【００６９】
図１４は、本発明の一実施形態によるデータ記録方法を図示したフローチャートである。
【００７０】
段階１４１０では、複数のライトストラテジに基づいて、テスト領域にテストデータを記録する。複数のライトストラテジは、それぞれ異なるレーザパワーのサイズまたはレーザ集束時間を有する。
【００７１】
段階１４２０では、テスト領域に記録されたテストデータを再生し、段階１４３０では、複数のライトストラテジによって、再生されたテストデータのジッタ値を測定する。段階１４４０では、測定されたジッタ値を利用し、マーク及びスペースのサイズ別にジッタマトリックスを構成する。このとき、正のジッタマトリックスと負のジッタマトリックスとを別途に構成する。
【００７２】
段階１４５０では、測定されたジッタの絶対値が最小になるライトストラテジを検出する。正のジッタ値と負のジッタ値とが互いに均衡をなすか、または正のジッタ発生頻度と負のジッタ発生頻度とが均衡をなす最適ライトストラテジが決定される。特に、ライトストラテジを基にしたジッタ関数またはジッタ頻度関数は、生成されたジッタマトリックスを利用してまず求めることができる。求めた関数は、第一次近似関数、例えば、負のジッタ値と正のジッタ値とを直線で連結する関数に変形される。それぞれ正と負とのジッタ値対は、ジッタ関数のグラフで、同じサイズのマークとスペースを有する。次に、最適のライトストラテジは、一次近似関数で決定される。一次近似関数がジッタ関数である場合、ライトストラテジ決定部は、ジッタ関数が０であるライトストラテジを決定する。一次近似関数がジッタ頻度関数である場合、前記決定部は、ジッタ頻度関数が０であるライトストラテジを決定する。
【００７３】
ライトストラテジは、データ記録のためのレーザパワーのサイズまたはレーザフォーカシングタイムを示す。従って、ジッタ値が正の側面に偏っていれば、パワーのサイズやレーザフォーカシングタイムを縮小することによって、ジッタ値を負の側面に移動することが可能である。
【００７４】
段階１４６０では、検出された最適ライトストラテジを適用し、光ディスクに所望のデータを記録する。最適ライトストラテジを介して、データの再生品質を向上させることができる。
【００７５】
一方、前述の本発明の実施形態は、コンピュータで実行できるプログラムで作成可能であり、コンピュータで読取り可能な記録媒体を利用し、前記プログラムを動作させる汎用デジタルコンピュータで具現されうる。
【００７６】
前記コンピュータで読取り可能な記録媒体は、マグネチック記録媒体（例えば、ＲＯＭ（read-only  memory）、フロッピー（登録商標）ディスク、ハードディスクなど）、光学的判読媒体（例えば、ＣＤ−ＲＯＭ、ＤＶＤなど）、及びキャリアウェーブ（例えば、インターネットを介した伝送）のような記録媒体を含む。
【００７７】
以上、本発明についてその望ましい実施形態を中心に述べた。本発明が属する技術分野で当業者は、本発明が本発明の本質的な特性から外れない範囲で変形された形態で具現できることを理解することができるであろう。従って、開示された実施形態は、限定的な観点ではなく、説明的な観点から考慮されねばならない。本発明の範囲は、前述の説明ではなくして特許請求の範囲に示されており、それと同等な範囲内にあるあらゆる差異点は、本発明に含まれるものであると解釈されねばならない。
【図１】
2010522946.tif 000003
【図２Ａ】
2010522946.tif 000004
【図２Ｂ】
2010522946.tif 000005
【図２Ｃ】
2010522946.tif 000006
【図３Ａ】
2010522946.tif 000007
【図３Ｂ】
2010522946.tif 000008
【図４】
2010522946.tif 000009
【図５】
2010522946.tif 000010
【図６】
2010522946.tif 000011
【図７】
2010522946.tif 000012
【図８】
2010522946.tif 000013
【図９】
2010522946.tif 000014
【図１０】
2010522946.tif 000015
【図１１Ａ】
2010522946.tif 000016
【図１１Ｂ】
2010522946.tif 000017
【図１２】
2010522946.tif 000018
【図１３】
2010522946.tif 000019
【図１４】
2010522946.tif 000020
【国際調査報告】
2010522946.tif 000021
2010522946.tif 000022